【手続補正書】
【提出日】平成18年5月16日(2006.5.16)
【手続補正１】
【補正対象書類名】特許請求の範囲
【補正対象項目名】全文
【補正方法】変更
【補正の内容】
【特許請求の範囲】
【請求項１】
流体を処理するための装置であって、
予め定められた範囲内の全電極間のキャパシタンスを供給するように、少なくとも１つのコロナ放電電極と前記コロナ放電電極の近くに位置決めされる少なくとも１つのコレクタ電極とを含むコロナ放電装置と、
前記コロナ放電電極と前記コレクタ電極との間にコロナ電流を流れさせるために、前記電極間に電圧を印加することによって電力信号を供給するよう前記コロナ放電電極と前記コレクタ電極とに接続された電源を含み、前記電圧およびコロナ電流はともに、各々、互いの上に重畳されたそれぞれの直流成分および交流成分の合計であり、前記電圧の前記直流成分の振幅で除した前記電圧の前記交流成分の振幅の電圧比の値が、前記コロナ電流の前記直流成分の振幅で除した前記コロナ電流の前記交流成分の振幅のコロナ電流比の値よりもかなり小さい、装置。
【請求項２】
前記電圧比の前記値は、前記コロナ電流比の前記値の１０分の１を超えない、請求項１に記載の装置。
【請求項３】
前記電圧比の前記値は、前記コロナ電流比の前記値の１００分の１を超えない、請求項１に記載の装置。
【請求項４】
前記電圧比の前記値は、前記コロナ電流比の前記値の１０００分の１を超えない、請求項１に記載の装置。
【請求項５】
前記コロナ電流の前記交流成分の周波数は５０〜１５０ｋＨｚの範囲である、請求項１から４のいずれかに記載の装置。
【請求項６】
前記コロナ電流の前記交流成分の周波数は１５ｋＨｚ〜１ＭＨｚの範囲である、請求項１から４のいずれかに記載の装置。
【請求項７】
前記コロナ電流の前記交流成分の周波数はほぼ１００ｋＨｚである、請求項１から４の
いずれかに記載の装置。
【請求項８】
前記電力信号の前記電圧の前記直流成分の前記振幅は１０ｋＶ〜２５ｋＶの範囲内である、請求項１から７のいずれかに記載の装置。
【請求項９】
前記電圧の前記直流成分の前記振幅は１ｋＶよりも大きい、請求項１から７のいずれかに記載の装置。
【請求項１０】
前記電力信号の前記電圧の前記直流成分の前記振幅はほぼ１８ｋＶである、請求項１から７のいずれかに記載の装置。
【請求項１１】
前記電力信号の前記コロナ電流の前記交流成分の前記振幅が、前記電力信号の前記直流成分の前記振幅の１０倍を超えず、
前記電力信号の前記一定電流成分の前記振幅が、前記電力信号の前記コロナ電流の前記交流成分の前記振幅の１０倍を超えない、請求項１に記載の装置。
【請求項１２】
前記電力信号の前記電圧の交流成分の前記振幅は、前記電圧の前記直流成分の前記振幅の１０分の１を超えない、請求項１に記載の装置。
【請求項１３】
前記電力信号の前記電圧の前記交流成分の前記振幅は１ｋＶを超えない、請求項１から１２のいずれかに記載の装置。
【請求項１４】
前記コロナ電流の前記直流成分は少なくとも１００μＡである、請求項１から１３のいずれかに記載の装置。
【請求項１５】
前記コロナ電流の前記直流成分は少なくとも１ｍＡである、請求項１から１３のいずれかに記載の装置。
【請求項１６】
前記コロナ放電電極間の反応性キャパシタンスは、前記電圧の前記交流成分の周波数の最高の高調波に対応し、１０ＭΩを超えない容量性インピーダンスを有する、請求項１に記載の装置。
【請求項１７】
流体を処理する方法であって、
予め定められた範囲内の全電極間のキャパシタンスを供給するように、少なくとも１つのコロナ放電電極と前記コロナ放電電極の近くに位置決めされる少なくとも１つのコレクタ電極とを含むコロナ放電装置に流体を導入するステップと、
前記電極間にコロナ電流を流れさせるために前記コロナ放電電極と前記コレクタ電極との間に電圧を印加することにより前記コロナ放電装置に電力信号を供給するステップとを含み、前記電圧および前記コロナ電流はともに、各々、互いの上に重畳されるそれぞれの直流成分および交流成分の合計を含みかつ前記合計であり、前記電圧の前記直流成分の振幅で除した前記電圧の前記交流成分の振幅の電圧比の値は、前記コロナ電流の前記直流成分の振幅で除した前記コロナ電流の前記交流成分の振幅のコロナ電流比の値よりもかなり小さい、方法。
【請求項１８】
前記電圧比の前記値は前記コロナ電流比の前記値の１０分の１を超えない、請求項１７に記載の方法。
【請求項１９】
前記電圧比の前記値は前記コロナ電流比の前記値の１００分の１以下を超えない、請求項１７に記載の方法。
【請求項２０】
前記電圧比の前記値は前記コロナ電流比の前記値の１０００分の１を超えない、請求項１７に記載の方法。
【請求項２１】
５０〜１５０ｋＨｚの範囲である前記コロナ電流の前記交流成分の周波数を有するよう前記電力信号を供給するステップをさらに含む、請求項１７から２０のいずれかに記載の方法。
【請求項２２】
前記コロナ電流の前記交流成分の周波数は１５ｋＨｚ〜１ＭＨｚの範囲である、請求項１７から２０のいずれかに記載の方法。
【請求項２３】
前記コロナ電流の前記交流成分の周波数はほぼ１００ｋＨｚである、請求項１７から２０のいずれかに記載の方法。
【請求項２４】
前記電圧の前記直流成分の前記振幅は１０ｋＶ〜２５ｋＶの範囲内である、請求項１７から２３のいずれかに記載の方法。
【請求項２５】
前記電圧の前記直流成分の前記振幅は１ｋＶよりも大きい、請求項１７から２３のいずれかに記載の方法。
【請求項２６】
前記電圧の前記直流成分の前記振幅はほぼ１８ｋＶである、請求項１７から２３のいずれかに記載の方法。
【請求項２７】
前記コロナ電流の前記交流成分の前記振幅が、前記コロナ電流の前記直流成分の前記振幅の１０倍を超えず、
前記コロナ電流の前記直流成分の前記振幅が、前記コロナ電流の前記交流成分の前記振幅の１０倍を超えない、請求項１７に記載の方法。
【請求項２８】
前記電圧の前記交流成分の前記振幅は、前記電圧の前記直流成分の前記振幅の１０分の１を超えない、請求項１７に記載の方法。
【請求項２９】
前記電力信号の前記電圧の前記交流成分の前記振幅は１ｋＶを超えない、請求項１７から２８のいずれかに記載の方法。
【請求項３０】
前記コロナ電流の前記直流成分は少なくとも１００μＡである、請求項１７から２９のいずれかに記載の方法。
【請求項３１】
前記コロナ電流の前記直流成分は少なくとも１ｍＡである、請求項１７から２９のいずれかに記載の方法。
【請求項３２】
前記コロナ放電電極と前記コレクタ電極との間の反応性キャパシタンスは、前記電圧の前記交流成分の周波数の最高の高調波に対応し、かつ１０ＭΩを超えない容量性インピーダンスを有する、請求項１７に記載の方法。
【請求項３３】
静電流体加速器であって、
電極の複数の段を含む静電流体加速器ユニットを含み、電極の前記段の各々は、予め定められた範囲内の全電極間のキャパシタンスを供給するように少なくとも１つのコロナ放電電極と少なくとも１つの相補的な電極とを含み、電極の前記段は、そこを通る流体を連続的に加速するようタンデムに配置され、前記電極は、出力電圧の交流成分の実質的に同一の波形を有する電力信号を受取るよう接続され、前記静電流体加速器はさらに、
前記コロナ放電電極と前記相補的な電極との間にコロナ電流を流れさせるために、前記
電極間に電圧を印加することによって前記電力信号を供給するよう前記静電流体加速器ユニットに接続される電源を含み、前記電圧および前記コロナ電流はともに、各々、互いの上に重畳されたそれぞれの直流成分および交流成分の合計であり、前記電圧の前記直流成分の振幅で除した前記電圧の前記交流成分の振幅の電圧比の値は、前記コロナ電流の前記直流成分の振幅で除した前記コロナ電流の前記交流成分の振幅のコロナ電流比の値よりもかなり小さい、静電流体加速器。
【請求項３４】
静電流体加速器であって、
コロナ放電装置を含み、前記コロナ放電装置は、
（ｉ）  それぞれのイオン化縁を有する第１の数のコロナ電極と、
（ii）  間隔をあけて配置され、かつ前記コロナ電極の前記イオン化縁のうち隣接する縁に実質的に平行なそれぞれの縁を有する第２の数の加速電極とを含み、前記加速電極は高電気抵抗材料でできており、前記加速電極の各々は、所望の流体の流れの方向に対して横方向に方向付けられた相互に垂直な長さおよび高さの寸法と、前記所望の流体の流れの方向に対して平行に方向付けられた幅寸法とを有し、所望の流体の流れの方向に対して横方向の前記加速電極の長さは、前記流体の流れの方向に対して平行な前記加速電極の幅よりも大きく、前記加速電極の前記幅は、前記所望の流体の流れの方向と前記長さとの両方に対して横方向の前記加速電極の高さの少なくとも１０倍であり、前記静電流体加速器はさらに、
前記コロナ電極と前記加速電極との間にコロナ電流を流れさせるために、前記電極間に電圧を印加することによって電力信号を供給するよう前記コロナ電極と前記加速電極とに接続される電源を含み、前記電圧および前記コロナ電流はともに、各々、互いの上に重畳されたそれぞれの直流成分および交流成分の合計であり、前記電圧の前記直流成分の振幅で除した前記電圧の前記交流成分の振幅の電圧比の値は、前記コロナ電流の前記直流成分の振幅で除した前記コロナ電流の前記交流成分の振幅のコロナ電流比の値よりもかなり小さい、静電流体加速器。
【請求項３５】
静電流体加速器であって、
特定の出力電圧および電流で高電圧電力を供給する高電圧電源を含み、前記電圧および電流の波形は各々、直流成分および交流成分を含み、前記静電流体加速器はさらに、
電極の複数の段を含む静電流体加速器ユニットを含み、電極の前記段の各々は、少なくとも１つのコロナ電極と少なくとも１つの相補的な電極とを含み、電極の前記段は、そこを通る流体を連続的に加速するようタンデムに配置され、前記電極は、前記出力電圧の前記交流成分の実質的に同一の波形を有する前記高電圧電力を受取るよう前記高電圧電源に接続され、前記段のうち少なくとも１つは、
（ｉ）  それぞれのイオン化縁を有する第１の数のコロナ電極と、
（ii）  間隔をあけて配置され、かつ前記第１の数のコロナ電極の前記イオン化縁のうち隣接する縁に実質的に平行なそれぞれの縁を有する第２の数の加速電極とを含み、前記加速電極は高電気抵抗材料でできており、前記加速電極の各々は、所望の流体の流れの方向に対して横方向に方向付けられた相互に垂直な長さおよび高さの寸法と、前記所望の流体の流れの方向に対して平行に方向付けられた幅寸法とを有し、所望の流体の流れの方向に対して横方向の前記加速電極の長さは、前記流体の流れの方向に対して平行な前記加速電極の幅よりも大きく、前記加速電極の前記幅は、前記所望の流体の流れの方向と前記長さとの両方に対して横方向の前記加速電極の高さの少なくとも１０倍であり、前記静電流体加速器はさらに、
前記静電流体加速器ユニットにおける１つ以上の電磁パラメータを監視するよう動作可能なセンサと、
前記負荷におけるスパーク前の状態を識別するために前記１つ以上の電磁パラメータに応答する第１の検出器と、
前記スパーク前の状態に応答して前記高電圧電源が前記電力の大きさを所望のレベルに
速やかに変えることを可能にするよう前記第１の検出器に接続される第２の検出器とを含み、
前記高電圧電源は、前記コロナ放電電極とコレクタ電極との間にコロナ電流を流れさせるために、前記電極間に電圧を印加することによって電力信号を供給するよう前記コロナ電極と前記相補的な電極とに接続され、前記電圧および前記コロナ電流はともに、各々、互いの上に重畳されるそれぞれの直流成分および交流成分の合計であり、前記電圧の前記直流成分の振幅で除した前記電圧の前記交流成分の振幅の電圧比の値は、前記コロナ電流の前記直流成分の振幅で除した前記コロナ電流の前記交流成分の振幅のコロナ電流比の値よりもかなり小さい、静電流体加速器。